(57)【特許請求の範囲】
【請求項１】
熱及び低周波治療装置であって、
直流電源を有するホストと、
前記ホストに設けられて、かつ前記直流電源に電気接続する制御回路であって、入力インターフェース、プロセッサ、増幅回路及び負電圧波除去回路を含み、前記入力インターフェースはスイッチとエンコーダを含み、前記プロセッサは前記入力インターフェースの操作内容に応じた制御信号を提供し、前記直流電源は前記増幅回路を介して前記負電圧波除去回路に２つの出力電極を形成し、２つの前記出力電極の一方が正電極であると、他方が負電極になり、２つの前記出力電極が導通されると、電圧は３０乃至８０ボルトであり、かつ周波数は５０乃至６０ヘルツであり、かつ導通されるときの電流は使用者自身により８０ミリアンペア以下になるように調整することができ、前記負電圧波除去回路は前記プロセッサ及び前記増幅回路のそれぞれに電気接続し、前記制御信号を受信してピーク時間が約０．２ミリ秒である正電圧波を発生し、かつダイオードにより前記直流電源が発生する負電圧波を除去させ、この周期形態で前記直流電源の給電期間に持続的に制御波形を発生する制御回路と、
人体の１つの治療部位の対向する両側に置かれるための２つのクッションであって、それぞれ前記治療部位に貼り付ける電極層と前記電極層の上に覆う電熱層とを含み、前記電熱層は前記プロセッサに電気接続して給電を制御され、各前記電極層はいずれも導電材料であり、前記２つのクッションの電極層はそれぞれ２つの前記出力電極に電気接続し、かつ前記プロセッサを介して制御して給電する時に、前記電流は前記制御波形と電圧とに基づいて正電極に接続するクッションから負電極に接続するクッションへの方向に、置かれた前記治療部位を通過して流れるとともに、前記電熱層が発生した熱エネルギーを前記治療部位の深層まで伝導させる２つのクッションと、
を含む熱及び低周波治療装置。
【請求項２】
前記負電圧波除去回路は回路遮断検出機能を有する光カプラーを有し、
前記光カプラーは検出回路及び発光ダイオードからなり、前記発光ダイオードが前記直流電源を導通すると発光し、前記検出回路は前記発光ダイオードがそれに対して発光するときに、信号を発生せずに、かつ前記検出回路は前記発光ダイオードがそれに対して発光しないときに、フィードバック信号を前記プロセッサに送信することで、前記電圧の値を最低値まで戻し、次の使用者が新たに使用するとき比較的高い電圧によって前記治療部位に不快をもたらす問題の発生を避けることが可能な請求項１に記載の熱及び低周波治療装置。
【請求項３】
各前記クッションは、電極層と電熱層との間にスペーサ層が設けられており、かつクッションは前記電極層が設けられた一側には前記治療部位に接触するための接着層（Adhesive layer）を有している請求項１に記載の熱及び低周波治療装置。
【請求項４】
前記負電圧波除去回路にはハーフブリッジスイッチング回路が接続しており、前記電流を出力する時のスイッチとしている請求項１に記載の熱及び低周波治療装置。
【請求項５】
前記ホストは操作情報を表示するスクリーンと警告音響を発出するブザーとを含む請求項１に記載の熱及び低周波治療装置。
【請求項６】
前記入力インターフェースは遠距離から制御することができる遠隔制御装置である請求項１に記載の熱及び低周波治療装置。
【発明の詳細な説明】
【技術分野】
【０００１】
本発明は、熱及び低周波治療装置に関し、特に、熱エネルギーを電流と共に人体の治療部位の深層まで伝導することができる治療装置に関する。
【背景技術】
【０００２】
図１２に示すように、一般的に使用されているマッサージャーは、ホスト９１を有し、かつ２つの電極板９２を有してそれぞれ回路９３でホスト９１に接続する。マッサージャーを使用する時に、電極板９２を人体のマッサージしようとする部位に貼り付けて、ホスト９１によりマッサージのモードに設置し、起動した後に、低周波電流を電極板９２に出力し、かつ電極板９２により放電して(同じ電極板９２が正電極、負電極をオンする放電方式により)皮膚表層乃至表層筋肉を刺激することを実現することができ、従って、皮膚はまひ感を感じ、かつ筋肉が無意識の収縮動作を発生し、それにより、マッサージしてリラックスする効果を実現する。
【０００３】
しかしながら、ホスト９１により低周波電流を発生して、かつ電極板９２により放電することは、上記のマッサージによりリラックスする效果を実現することができるが、前述したとおり皮膚表層又は表層筋肉のみに対して刺激效果を発生し、体内の深層筋肉まで達することができず、かつ放電により皮膚と筋肉を刺激することにより反応を発生することは、皮膚を不快にし、及び筋肉が過度に収縮する逆效果をもたらす可能性がある。
【０００４】
日本特許第４７５５９１６号と第５１４８２５４号などの２つの特許に基づいて、この２つの方案に記載の電気治療装置によれば、この電気治療装置は電気治療時に、発熱層を設置し、供給する電源の電圧範囲は、最小で０．３ボルトであり、最大でも僅か２０ボルトであることから、伝導することができる電流が小さいことがわかり、熱エネルギーを人体の浅層部位までしか伝導することができず、熱を人体の治療部位の深層まで伝導する効果がないと予期できる。
【発明の概要】
【発明が解決しようとする課題】
【０００５】
本発明は上記問題を解決するために、熱及び低周波治療装置を提供しており、熱エネルギーを電流と共に人体の深層まで伝導する効果を実現することができ、それにより、治療部位の血液循環を促進する機能を実現することができ、かつ治療時の制御信号が負電圧波除去回路を介して負電圧波除去の效果を発生し、従って、負電圧波を除去することができ、使用者が放電して治療する時に負電圧波により刺激されず、治療時の不快を避ける。
【課題を解決するための手段】
【０００６】
前記目的を実現するために、本発明は、
直流電源を有するホストと、
該ホストに設けられており、かつ該直流電源に電気接続するものであって、入力インターフェース、プロセッサ、増幅回路及び負電圧波除去回路を含み、該入力インターフェースはスイッチとエンコーダを含み、該プロセッサは該入力インターフェースの操作内容に応じた制御信号を提供し、該直流電源は該増幅回路を介して該負電圧波除去回路に２つの出力電極を形成し、２つの該出力電極の一方が正電極であると、他方が負電極になり、２つの該出力電極が導通されると、電圧は３０乃至８０ボルトであり、かつ周波数は５０乃至６０ヘルツであり、かつオン時における電流は使用者自身により８０ミリアンペア以下になるように調整することができ、該負電圧波除去回路は該プロセッサ及び該増幅回路のそれぞれに電気接続し、該制御信号を受信することによりピーク時間が約０．２ミリ秒である正電圧波を発生し、かつダイオードにより該直流電源が発生する負電圧波を除去し、この周期形態で該直流電源の給電期間に持続的に制御波形を発生する制御回路と、
人体の１つの治療部位の対向する両側に置かれるものであって、それぞれ該治療部位へ貼り付ける電極層と該電極層の上に覆う電熱層とを含み、該電熱層は該プロセッサに電気接続して給電を制御され、各該電極層はいずれも導電材料であり、その電極層はそれぞれ２つの該出力電極に電気接続し、かつ該プロセッサにより制御して給電する時に、該電流は前記制御波形と電圧とにより正電極に接続するものから負電極に接続するクッションへの方向に、置かれた該治療部位を通過して流れるとともに、該電熱層が発生する熱エネルギーを該治療部位の深層まで伝導する２つのクッションと、を含む。
【０００７】
また、該負電圧波除去回路は回路遮断検出機能を有する光カプラーを含み、該光カプラーは検出回路及び発光ダイオードとからなる。該発光ダイオードは該直流電源を導通すると発光し、該検出回路は該発光ダイオードがそれに対して発光する時に信号を発生せずに、かつ該検出回路は該発光ダイオードがそれに対して発光しない時に、フィードバック信号をプロセッサに送信することで、それにより、該電圧の値を最低値に戻し、次の使用者が新たに使用するとき比較的高い電圧によって治療部位に不快をもたらす問題の発生を避けることが可能なよう用いられている。
【０００８】
また、該負電圧波除去回路にはハーフブリッジスイッチング回路が接続しており、該電流を出力する時のスイッチとしている。
【０００９】
また、該ホストは操作情報を表示するスクリーンと警告音響を発出するブザーを含む。
【００１０】
また、該入力インターフェースは遠距離から制御することができる遠隔制御装置である。
【図面の簡単な説明】
【００１１】
【図１】図１は本発明の治療装置を示す図である。
【図２】図２は本発明のホストの内部回路の配置を示すブロック図である。
【図３】図３は本発明のプロセッサの回路図である。
【図４】図４は本発明の増幅回路の回路図である。
【図５】図５は本発明の負電圧波除去回路の回路図である。
【図６】図６は本発明のクッションの内部構造を示す図である。
【図７】図７は本発明のハーフブリッジスイッチング回路の回路図である。
【図８】図８は本発明の治療装置が人体の腹部と背部との間に作用する使用状態を示す図である。
【図９】図９は本発明の治療装置が人体のアームの上面と下面との間に作用する使用状態を示す図である。
【図１０】図１０は負電圧波除去回路で処理されていない波形であり、この波形が明らかな負電圧波が存在する。
【図１１】図１１は負電圧波除去回路により処理された波形であり、この波形がもう明らかに図１０に示す負電圧波が存在しない。
【図１２】図１２は一般的に用いられるマッサージャーの使用状態を示す図である。
【発明を実施するための形態】
【００１２】
図１乃至図１１を参照し、図面には本発明の選択する実施例の構造を示すが、それがただ説明するためのものであり、本発明の構造を限定していない。
【００１３】
本実施例は熱及び低周波治療装置を提供しており、それは、図１乃至２に示すように、ホスト１、制御回路２及び２つのクッション３を含む。
【００１４】
図２に示すように、ホスト１は直流電源を有し、この直流電源は本実施例において電源供給器１１から１２ボルト／３アンペアの直流電源を提供し、かつトランス１２により１２ボルトの直流電源を５ボルトの直流電源へ変換し、該制御回路２が操作する時の電源としている。図１乃至図２に示すように、本実施例のホスト１はスクリーン１３とブザー１４とを含み、スクリーン１３により治療時の操作情報を表示し、かつ異常が発生する時に、ブザー１４により警告音響を発する。
【００１５】
図２に示すような制御回路２は、ホスト１に設けられており、かつ該直流電源に電気接続し、また、図２乃至図５に示すように、入力インターフェース２１、プロセッサ２２、増幅回路２３及び負電圧波除去回路２４を含む。入力インターフェース２１はスイッチ２１１とエンコーダ２１２を含み、プロセッサ２２は入力インターフェース２１を介して操作することにより制御信号を提供する。また、該入力インターフェース２１は遠距離から制御することができる遠隔制御装置２１３を含んでいる。
【００１６】
前記直流電源は増幅回路２３により負電圧波除去回路２４に２つの出力電極２５、２６が形成しており(図５に示す)、２つの出力電極２５、２６の一方が正電極であると、他方が負電極であり、ここで、出力電極２５が正電極であるが、出力電極２６が負電極としてされる。２つの出力電極２５、２６の間がオンである時の電圧は３０乃至８０ボルトであり、かつ周波数は５０乃至６０ヘルツであり、かつオン時における電流は使用者自分により８０ミリアンペア以下になるように調整する(ここで、電流は人体の抵抗の異なりにより差異が存在する)。負電圧波除去回路２４は、それぞれプロセッサ２２及び増幅回路２３に電気接続し、該制御信号を受信することにより、ピーク時間が約０．２ミリ秒である正電圧波を発生し、かつダイオード２４１により該直流電源が発生する負電圧波を除去させ、それにより、この周期形態で該直流電源の給電期間に持続的に制御波形を発生する。
【００１７】
図６に示すような２つのクッション３は、人体の１つの治療部位の対向する両側に置かれるためのものであり、各クッション３は該治療部位に貼り付ける電極層３１と該電極層３１の上に覆う電熱層３２とを含む。該電熱層３２は該プロセッサ２２に電気接続して給電を制御し、各該電極層３１はいずれも導電材料であり、２つのクッション３の電極層３１はそれぞれ２つの出力電極２５に電気接続し、かつプロセッサ２２により制御して給電する時に、該電流は上記の制御波形と電圧に基づいて正電極に接続するクッション３から負電極に接続するクッション３へ置かれた該治療部位を通過し、それにより電熱層３２が生じた熱エネルギーを該治療部位の深層まで伝導する。本実施例において、各クッション３は設けられた電極層３１と電熱層３２との間に仕切れ層３３を有し、かつクッション３の電極層３１が設けられた一側には接着層（Adhesive layer）層３４を有し、クッション３を該治療部位へ貼り付ける時に、この接着層（Adhesive layer）層３４は人体と接触する。
【００１８】
図５に示すように、本実施例の負電圧波除去回路２４は回路遮断検出機能を有する光カプラー２７を有し、該光カプラー２７は検出回路２７１と発光ダイオード２７２とがからなる。該発光ダイオード２７２は該直流電源を導通すると発光し、該検出回路２７１は該発光ダイオード２７２がそれに対して発光する時に信号を発生せずに、かつ該検出回路２７１は該発光ダイオード２７２がそれに対して発光しない時に、フィードバック信号をプロセッサ２２に送信し、それにより、該電圧を最低値にリセットし、使用者が新たに設置することに用いられる。また、図７ｂに示すように、負電圧波除去回路２４にはハーフブリッジスイッチング回路２８が接続しており、電流を出力する時のスイッチとしている。本実施例において、該直流電源から５ボルトである電源を提供して該フィードバック信号を発生する。
【００１９】
前記熱及び低周波治療装置は、使用する時に人体の四肢又は胴体の１つの該装置を使用しようとする治療部位を選択することができる。図８に示すように、その内の１つのクッション３は正電極の出力電極２５になるように電気接続して腹部Ａに貼り付け、かつ別のクッション３は負電極の出力電極２６になるように電気接続して背部Ｂに貼り付け、２つのクッション３は同じ高さに設置され、この時に該入力インターフェース２１のスイッチを操作することによりホスト１を起動し、かつ制御回路２のプロセッサ２２、増幅回路２３及び負電圧波除去回路２４の作動方式により、前記の３０乃至８０ボルトで、かつ周波数が５０乃至６０ヘルツである電圧を発生し、ここで、電流が８０ミリアンペアである。該電流を腹部Ａにあるクッション３の電極層３１から出力して胴体を通過した後に、背部Ｂにあるクッション３の電極層３１へ流れ、この時に電熱層３２が発生した熱エネルギーは、該電流と共に腹部Ａと背部Ｂとの間を透過して腹内の深層筋肉まで伝導する。
【００２０】
また、図９に示すように、アームＣを上記特定部位として、主に、クッション３を正電極の出力電極２５になるように電気接続してアームＣの下に貼り合わせて、かつ別のクッション３を負電極の出力電極２６になるように電気接続してアームＣの上に貼り付けて、以上のような腹部Ａと背部Ｂに貼り付けられる操作と同様に、電熱層３２が発生する熱エネルギーは、同様に該電流と共にアームＣの上面と下面との間を透過して、アームＣの深層の筋肉まで伝導する。
【００２１】
前記電流が人体の治療部位を通過する時に、該直流電源が発生した負電圧波をもう除去し、この時に、図１０に示すような波形は負電圧波Ｄを発生してしまい、放電治療する時に人体に対して不快な刺激感(例えば、疼き)をもたらし、従って、知られているマッサージャーはただ０．３〜２０ボルトの低電圧と低電流を提供する。本発明において、負電圧波除去回路２４を設置することにより、ピーク時間が約０．２ミリ秒である正電圧波を発生し、かつ該直流電源が発生した負電圧波を除去し(図１１に示すように、負電圧波をもう除去した。)、かつ治療過程において、この周期形態で該直流電源の給電期間に持続的に制御波形を発生し、そのため、前記放電治療時に不快な刺激感をもたらすことを避けることができ、従って、本発明が用いた電圧が３０乃至８０ボルトであっでもよく、かつ電流が８０ミリアンペアに達することができ、それにより、電流及び熱エネルギーを人体の治療部位の深層まで伝導する効果を実現することができる。
【００２２】
また、前記光カプラー２７の設置が、以上のように使用者が新たに設定することに用いられる主な目的は、治療装置を操作する過程において、突然に電気切断すると、或いはホスト１とクッション３との間の接続が離れると、クッション３が電気切断して失効し、この時に、光カプラー２７が作動することにより該フィードバック信号をプロセッサ２２に送信し、それにより該電圧を最低値にリセットし、リセットする前の電圧が比較的高い値に設置される時に、使用者が再使用する時に比較的大きい電圧を受けて、治療部位の不快をもたらす問題の発生を避けることができることである。
【００２３】
従って、本発明の装置によれば、クッション３と共に人体の特定部位に貼り付けることができ、電熱層３２が発生した熱エネルギーを治療部位の深層まで伝導することができ、一般的に使用されているマッサージャーが皮膚及び表層筋肉のみに対して刺激を発生することにとっては、本発明の熱及び低周波治療装置は深層筋肉に対して刺激を発生することができ、気血流通させて血液循環を促進する効果を実現し、かつ治療する時に不快の刺激感を感じない。
【図１】
0006546113.tif 000002
【図２】
0006546113.tif 000003
【図３】
0006546113.tif 000004
【図４】
0006546113.tif 000005
【図５】
0006546113.tif 000006
【図６】
0006546113.tif 000007
【図７】
0006546113.tif 000008
【図８】
0006546113.tif 000009
【図９】
0006546113.tif 000010
【図１０】
0006546113.tif 000011
【図１１】
0006546113.tif 000012
【図１２】
0006546113.tif 000013